(57)【要約】  自車位置を示す自車マークを含む地図を画面に表示する表示手段６と、表示手段に新たな画像を表示する必要が生じた場合に、表示中の地図領域と新たな画像が占める領域とが重なる範囲を除く地図領域を算出する表示内画像認識解析手段８と、表示内画像認識解析手段８で算出された地図領域の中央部に自車マークが位置するように地図を移動して表示手段に表示させる描画判定切り替え手段７を備えている。
2010084554.tif 000002
【特許請求の範囲】
【請求項１】
自車位置を示す自車マークを含む地図を画面に表示する表示手段と、
前記表示手段に新たな画像を表示する必要が生じた場合に、表示中の地図領域と前記新たな画像が占める領域とが重なる範囲を除く地図領域を算出する表示内画像認識解析手段と、
前記表示内画像認識解析手段で算出された地図領域の中央部に前記自車マークが位置するように地図を移動して前記表示手段に表示させる描画判定切り替え手段
とを備えたナビゲーション装置。
【請求項２】
描画判定切り替え手段は、前記表示内容画像認識解析手段で算出された地図領域の中央部に前記自車マークが位置し、かつ、既に表示中の地図の全体が表示されるように地図の縮尺を変更して前記表示手段に表示させる
ことを特徴とする請求項１記載のナビゲーション装置。
【請求項３】
自車位置を示す自車マークを含む地図および地図以外の案内情報を画面に表示する表示手段と、
前記表示手段に新たな画像を表示する必要が生じた場合に、表示中の案内情報の領域と前記新たな画像が占める領域とが重なるか否かを判定する表示内画像認識解析手段と、
前記表示内画像認識解析手段で重なることが判定された場合に、表示中の案内情報の領域を、前記新たな画像が占める領域に重ならない位置に移動して前記表示手段に表示させる描画判定切り替え手段
とを備えたナビゲーション装置。
【請求項４】
描画判定切り替え手段は、表示内画像認識解析手段で重なることが判定された場合に、新たな画像が占める領域を、表示中の案内情報の領域に重ならない位置に移動し、かつ、縮尺を変更して表示手段に表示させる
ことを特徴とする請求項３記載のナビゲーション装置。
【請求項５】
映像情報を取得する映像取得手段と、
前記映像取得手段で取得された映像情報および該映像に重畳された文字情報を画面に表示する表示手段と、
前記表示手段に新たな画像を表示する必要が生じた場合に、表示中の文字情報の領域と前記新たな画像が占める領域とが重なるか否かを判定する表示内画像認識解析手段と、
前記表示内画像認識解析手段で重なることが判定された場合に、新たな画像が占める領域を、前記表示中の文字情報の領域に重ならない位置に移動して前記表示手段に表示させる描画判定切り替え手段
とを備えたナビゲーション装置。
【発明の詳細な説明】
【技術分野】
【０００１】
この発明は、ユーザを目的地まで案内するナビゲーション装置に関し、特に、既に表示画面に表示されている情報に、新たに発生された情報を重ねて表示する技術に関する。
【背景技術】
【０００２】
従来、地図上に他の情報を重ねて表示する技術として、例えば、特許文献１は、経路の誘導状況等を考慮したより適切な地図表示を実現できる地図表示装置を開示している。この地図表示装置は、経路案内中、地図画面中における誘導経路の表示位置と地図画面上に合成表示する情報表示・メニューウインドウ画面の表示位置が重なる場合は、画面中における誘導経路が隠れないような位置に情報表示・メニューウインドウ画面を表示する。そのため、誘導経路およびその周辺の地図については、極力視認できる状態となり、誘導経路が見えなくて困るという事態を防止でき、誘導にとって適切な表示が実現される。
【先行技術文献】
【特許文献】
【０００３】
【特許文献１】特開２００６−３００９５５号公報
【発明の概要】
【０００４】
上述した特許文献１に開示された地図表示装置では、経路に被らない位置に情報表示・メニューウインドウを表示することができるが、画面に表示される情報、例えば、地図、施設、時計、目的地到着時刻、ニュース、スポーツ結果、渋滞情報またはメールなどが、任意のタイミングで新たに表示される情報、例えば、テロップ（電話着信を知らせるテロップなど）、ポップアップメニューまたはボタンなどと重なってユーザが所望する情報が見えなくなったり、見づらくなったりする場合がある。
【０００５】
この発明は、上述した問題を解消するためになされたものであり、その課題は、複数種類の情報を重ならないよう画面に表示させることができるナビゲーション装置を提供することにある。
【０００６】
この発明に係るナビゲーション装置は、上記課題を解決するために、自車位置を示す自車マークを含む地図を画面に表示する表示手段と、表示手段に新たな画像を表示する必要が生じた場合に、表示中の地図領域と新たな画像が占める領域とが重なる範囲を除く地図領域を算出する表示内画像認識解析手段と、表示内画像認識解析手段で算出された地図領域の中央部に自車マークが位置するように地図を移動して表示手段に表示させる描画判定切り替え手段を備えている。
【０００７】
この発明に係るナビゲーション装置によれば、新たな画像を表示する必要が生じた場合に、表示中の地図領域と新たな画像が占める領域とが重なる範囲を除く地図領域を算出し、この算出した地図領域の中央部に自車マークが位置するように地図を移動して表示させるように構成したので、複数種類の情報を重ならないよう画面に表示させることができる。
【図面の簡単な説明】
【０００８】
【図１】この発明の実施の形態１に係るナビゲーション装置の構成を示すブロック図である。
【図２】この発明の実施の形態１に係るナビゲーション装置の動作を示すフローチャートである。
【図３】この発明の実施の形態１に係るナビゲーション装置で表示される画面を示す図である。
【図４】この発明の実施の形態２に係るナビゲーション装置の動作を示すフローチャートである。
【図５】この発明の実施の形態２に係るナビゲーション装置で表示される画面を示す図である。
【図６】この発明の実施の形態３に係るナビゲーション装置の動作を示すフローチャートである。
【図７】この発明の実施の形態３に係るナビゲーション装置で表示される画面を示す図である。
【図８】この発明の実施の形態４に係るナビゲーション装置の動作を示すフローチャートである。
【図９】この発明の実施の形態４に係るナビゲーション装置で表示される画面を示す図である。
【図１０】この発明の実施の形態５に係るナビゲーション装置の動作を示すフローチャートである。
【図１１】この発明の実施の形態５に係るナビゲーション装置で表示される画面を示す図である。
【発明を実施するための形態】
【０００９】
以下、この発明の実施の形態を、図面を参照しながら詳細に説明する。
実施の形態１．
図１は、この発明の実施の形態１に係るナビゲーション装置の構成を示すブロック図である。このナビゲーション装置は、記憶手段１、メディア再生手段２、映像受信手段３、ＧＰＳ（Global Positioning System）受信機４、自車位置測位手段５、表示手段６、描画判定切り替え手段７、表示内画像認識解析手段８、操作入力手段９、施設データ取得手段１０、施設データベース１１、地図データ取得手段１２、地図データベース１３、メニュー・アイコン取得手段１４、メニュー・アイコンデータベース１５、ルート探索手段１６、通信手段１７およびデータ判定手段１８を備えている。
【００１０】
これらの構成要素のうち、自車位置測位手段５、描画判定切り替え手段７、表示内画像認識解析手段８、施設データ取得手段１０、地図データ取得手段１２、メニュー・アイコン取得手段１４、ルート探索手段１６およびデータ判定手段１８は、例えば、図示しないＣＰＵ（Central Processing Unit）によって実行されるプログラムによって構成されている。
【００１１】
記憶手段１は、例えばＲＡＭ（Random Access Memory）から構成されており、種々の処理で使用されるデータを一時的に記憶する。この記憶手段１は、データ判定手段１８によってアクセスされる。
【００１２】
メディア再生手段２は、この発明の映像取得手段の一部に対応し、例えばＤＶＤ（Digital Versatile Disk）、ＣＤ（Compact Disc）または各種メモリーデバイスなどといった記録媒体に記録されている情報を再生するドライブから構成されている。このメディア再生手段２で再生することにより得られた映像情報は、データ判定手段１８に送られる。
【００１３】
映像受信手段３は、この発明の映像取得手段の他の一部に対応し、例えばＤＴＶ（Digital TeleVision）受信機などから構成されている。この映像受信手段３は、外部から送信されてくる電波を受信して映像および音声を再生する。この映像受信手段３で再生することにより得られた映像情報および音声情報は、データ判定手段１８に送られる。
【００１４】
ＧＰＳ受信機４は、ＧＰＳ衛星から送信される電波を受信し、自己の現在位置を検出する。このＧＰＳ受信機４で検出された自己の現在位置は、現在位置信号として自車位置測位手段５に送られる。自車位置測位手段５は、ＧＰＳ受信機４から送られてくる現在位置信号に基づき、自車の現在位置を検出する。この自車位置測位手段５で検出された自車の現在位置は、現在位置データとしてデータ判定手段１８に送られる。
【００１５】
表示手段６は、例えば液晶パネルから構成されており、描画判定切り替え手段７から送られてくる表示データに応じて、例えば地図、自車マーク、誘導案内図、アイコン、メニュー、テロップ、映像などといった種々の情報を表示する。
【００１６】
描画判定切り替え手段７は、表示内画像認識解析手段８から送られてくる解析結果データに従って、通常の地図を表示する処理の他、表示中の地図の移動および縮尺の変更、または、表示中の案内情報の領域の移動などの処理を実行する。この描画判定切り替え手段７で行われる処理の詳細は後述する。描画判定切り替え手段７における処理によって生成された表示データは表示手段６に送られる。
【００１７】
表示内画像認識解析手段８は、データ判定手段１８から送られてくるデータに従って、表示手段６に新たな画像、例えばテロップ、ポップアップメニューまたはアイコンなどを表示する必要が生じた場合に、表示中の地図領域と新たな画像が占める領域とが重なるか否かを判定するとともに、重なる範囲を除く地図領域を算出する。この表示内画像認識解析手段８で算出された地図領域は、解析結果データとして描画判定切り替え手段７に送られる。
【００１８】
操作入力手段９は、例えば、タッチパネルから構成されており、操作に応じたデータを発生し、操作データとしてデータ判定手段１８に送る。なお、操作入力手段９としては、リモートコントローラ（リモコン）または操作スイッチなどを用いることもできる。
【００１９】
施設データ取得手段１０は、施設データベース１１から施設データを取得し、データ判定手段１８に送る。施設データベース１１は、施設に関する情報を格納している。地図データ取得手段１２は、地図データベース１３から地図データを取得し、データ判定手段１８に送る。地図データベース１３は、地図データを格納している。メニュー・アイコン取得手段１４は、メニュー・アイコンデータベース１５からメニュー・アイコンデータを取得し、データ判定手段１８に送る。メニュー・アイコンデータベース１５は、メニュー・アイコンデータを格納している。
【００２０】
ルート探索手段１６は、地図データベース１３から取得した地図データに基づき、出発地（例えば現在位置）から目的地までの最適な経路を探索する。このルート探索手段１６で探索された経路は、経路データとしてデータ判定手段１８に送られる。
【００２１】
通信手段１７は、例えば電話機から構成されており、外部と通信回線を介して接続する。この通信手段１７に電話着信があった場合は、その旨がデータ判定手段１８に通知される。また、この通信手段１７は、外部から受信した音声信号をデータ判定手段１８に送るとともに、データ判定手段１８から送られてくる音声信号を外部に送信する。
【００２２】
データ判定手段１８は、記憶手段１、メディア再生手段２、映像受信手段３、自車位置測位手段５、表示内画像認識解析手段８、操作入力手段９、施設データ取得手段１０、地図データ取得手段１２、メニュー・アイコン取得手段１４、ルート探索手段１６および通信手段１７を制御する。
【００２３】
次に、上記のように構成される、この発明の実施の形態１に係るナビゲーション装置の動作を、例えば図３に示すように、画面上に表示されているカスタムボタンにタッチすることにより新たな画像として、「Ｇｏａｌ」および「渋滞」といったアイコンが画面上に表示される場合の表示処理を中心に、図２に示すフローチャートを参照しながら説明する。
【００２４】
この表示処理では、まず、通常の地図表示が行われる（ステップＳＴ１１）。すなわち、データ判定手段１８は、地図データベース１３から地図データ取得手段１２を介して地図データを取得して表示内画像認識解析手段８を経由して描画判定切り替え手段７に送るとともに、自車位置測位手段５から現在位置データを取得して表示内画像認識解析手段８を経由して描画判定切り替え手段７に送る。描画判定切り替え手段７は、受け取った地図データと現在位置データとに基づき、現在位置データによって示される現在位置に自車マークを配置した地図を描画し、表示データとして表示手段６に送る。これにより、図３（ａ）に示すような、表示手段６の表示画面の一部に各種ボタンおよび案内情報などが表示され、地図領域に、自車マークが中央部に配置された地図が表示される。ここで自車マークは、左右センター位置（画面中央の上下のライン）とか、地図領域の中心に一部かかっていてもよい。
【００２５】
次いで、カスタムボタンにタッチされたか否かが調べられる（ステップＳＴ１２）。すなわち、データ判定手段１８は、操作入力手段９から送られてくる操作データを調べることにより、カスタムボタンにタッチがなされたかどうかを調べる。このステップＳＴ１２において、カスタムボタンにタッチされていないことが判断されると、シーケンスはステップＳＴ１１に戻って上述した処理を繰り返し、カスタムボタンにタッチされるまで待機する。
【００２６】
一方、ステップＳＴ１２において、カスタムボタンにタッチされたことが判断されると、次いで、地図と新たな画像とが重なるかどうかが調べられる（ステップＳＴ１３）。すなわち、操作入力手段９は、タッチされたことを検出すると、その旨を表す操作データを、データ判定手段１８を経由して表示内画像認識解析手段８に送る。表示内画像認識解析手段８は、データ判定手段１８から送られてくる操作データに従って、表示手段６に新たな画像（図３の「Ｇｏａｌ」および「渋滞」のアイコン）を表示する必要が生じた旨を認識し、表示中の地図領域と新たな画像が占める領域とが重なるか否かを調べる。このステップＳＴ１３において、地図と新たな画像とが重ならないことが判断されると、ステップＳＴ１６に進む。
【００２７】
一方、ステップＳＴ１３において、地図と新たな画像とが重なることが判断されると、次いで、残りの地図領域が算出される（ステップＳＴ１４）。すなわち、表示内画像認識解析手段８は、表示中の地図領域と新たな画像（図３の「Ｇｏａｌ」および「渋滞」のアイコン）が占める領域とが重なる範囲を除く地図領域を算出し、解析結果データとして描画判定切り替え手段７に送る。
【００２８】
次いで、残りの地図領域に合わせて自車位置がセンタに移動される（ステップＳＴ１５）。すなわち、描画判定切り替え手段７は、表示内画像認識解析手段８から解析結果データとして送られる地図領域の中央部に自車マークが位置するように地図を移動させる処理を実行する。この場合、既に表示されていた地図の縮尺は変更されないので、表示中の地図領域と新たな画像が占める領域とが重なる範囲の分だけ地図領域が狭められる。この描画判定切り替え手段７における処理結果は、表示データとして表示手段６に送られる。
【００２９】
次いで、カスタマイズ画面が表示される（ステップＳＴ１６）。すなわち、表示手段６は、描画判定切り替え手段７から送られてくる表示データに応じて、例えば図３（ｂ）に示すような、自車マークが中央部に位置する地図と新たな画像である「Ｇｏａｌ」および「渋滞」のアイコンとを含む画像を表示する。その後、表示処理は終了する。
【００３０】
なお、図３に示す例では、カスタムボタンがタッチされたことに応答して、既に表示中の地図上に「Ｇｏａｌ」および「渋滞」といった新たなアイコンを表示する例について説明したが、電話着信を知らせるテロップまたはポップアップメニューを表示する必要が生じた場合も、上記と同様の処理を行うように構成できる。また、図３（ｂ）の右端の網掛け部分は、新しい画像を一般的に表示したものである。
【００３１】
実施の形態２．
この発明の実施の形態２に係るナビゲーション装置の構成は、上述した実施の形態１に係るナビゲーション装置の構成と同じである。
【００３２】
次に、実施の形態２に係るナビゲーション装置の動作を説明する。図４は、実施の形態２に係るナビゲーション装置の動作を、表示処理を中心に示すフローチャートである。なお、以下では、上述した実施の形態１に係るナビゲーション装置の表示処理（図２参照）と同一の処理を行うステップには、図２で使用した符号と同一の符号を付して説明を簡略化する。
【００３３】
この表示処理では、まず、通常の地図表示が行われる（ステップＳＴ１１）。これにより、図５（ａ）に示すような、表示手段６の表示画面の一部に各種ボタンおよび案内情報などが存在し、地図領域に、自車マークが中央部に配置された地図が表示される。次いで、カスタムボタンにタッチされたか否かが調べられる（ステップＳＴ１２）。このステップＳＴ１２において、カスタムボタンにタッチされていないことが判断されると、シーケンスはステップＳＴ１１に戻って上述した処理を繰り返し、カスタムボタンにタッチされるまで待機する。
【００３４】
一方、ステップＳＴ１２において、カスタムボタンにタッチされたことが判断されると、次いで、地図と新たな画像とが重なるかどうかが調べられる（ステップＳＴ１３）。このステップＳＴ１３において、地図と新たな画像とが重ならないことが判断されると、ステップＳＴ１６に進む。一方、ステップＳＴ１３において、地図と新たな画像とが重なることが判断されると、次いで、残りの地図領域が算出される（ステップＳＴ１４）。次いで、残りの地図領域に合わせて自車位置がセンタに移動される（ステップＳＴ１５）。
【００３５】
次いで、残りの地図領域に合わせて地図の縮尺が変更される（ステップＳＴ２１）。すなわち、描画判定切り替え手段７は、表示内画像認識解析手段８から解析結果データとして送られてくる地図領域の中央部に自車マークが位置するように地図を移動させた後に、既に表示中の地図、つまり移動前の地図の全体が表示されるように地図の縮尺を変更する処理を実行する。これにより、元の地図は若干縮小されるが元の地図の全体が表示されることになる。この描画判定切り替え手段７における処理結果は、表示データとして表示手段６に送られる。次いで、カスタマイズ画面が表示される（ステップＳＴ１６）。その後、表示処理は終了する。
【００３６】
なお、図５に示す例では、カスタムボタンがタッチされたことに応答して、既に表示中の地図上に「Ｇｏａｌ」および「渋滞」といった新たなアイコンを表示する例について説明したが、電話着信を知らせるテロップまたはポップアップメニューを表示する必要が生じた場合も、上記と同様の処理を行うように構成できる。また、図５（ｂ）の右端の網掛け部分は、新しい画像を一般的に表示したものである。
【００３７】
実施の形態３．
この発明の実施の形態３に係るナビゲーション装置の構成は、上述した実施の形態１に係るナビゲーション装置の構成と同じである。
【００３８】
次に、実施の形態３に係るナビゲーション装置の動作を説明する。図６は、実施の形態３に係るナビゲーション装置の動作を、表示処理を中心に示すフローチャートである。
【００３９】
この表示処理では、まず、地図が表示される（ステップＳＴ３１）。このステップＳＴ３１の処理は、上述したステップＳＴ１１の処理と同じである。これにより、例えば図７に示すような、表示手段６の表示画面の左側に各種ボタンおよび案内情報などが表示され、右側に誘導案内図が表示され、中央部に自車マークを含む地図が表示される。
【００４０】
次いで、テロップが発生したかどうかが調べられる（ステップＳＴ３２）。すなわち、データ判定手段１８は、テロップを出力するべきタイミングであるかどうか、例えば通信手段１７から電話着信があった旨の通知が送られてきたかどうかを調べる。このステップＳＴ３２において、テロップが発生していないことが判断されると、表示処理は終了する。
【００４１】
一方、ステップＳＴ３２において、テロップが発生したことが判断されると、次いで、ボタンなどと重なるかどうかが調べられる（ステップＳＴ３３）。すなわち、データ判定手段１８は、テロップを出力するべきタイミングであることを判断すると、テロップが占める領域を示すデータを表示内画像認識解析手段８に送る。表示内画像認識解析手段８は、データ判定手段１８からテロップが占める領域を示すデータが送られてきた場合に、表示手段６に新たな画像（テロップ）を表示する必要が生じた旨を認識し、表示中のボタンなど（ボタン、案内情報および誘導案内図などを含む）と新たな画像（テロップ）が占める領域とが重なるか否かを調べる。このステップＳＴ３３において、ボタンなどと新たな画像とが重ならないことが判断されると、シーケンスはステップＳＴ３５に進む。
【００４２】
一方、ステップＳＴ３３において、ボタンなどと新たな画像とが重なることが判断されると、ボタンなどを重ならない位置に移動させる処理が行われる（ステップＳＴ３４）。すなわち、表示内画像認識解析手段８は、表示中のボタンなどと新たな画像（テロップ）が占める領域とが重なることを判断すると、その結果を解析結果データとして描画判定切り替え手段７に送る。描画判定切り替え手段７は、表示内画像認識解析手段８から送られてくる解析結果データに基づき、ボタンなどをテロップと重ならない位置に移動させる処理を実行する。この描画判定切り替え手段７における処理結果は、表示データとして表示手段６に送られる。その後、シーケンスはステップＳＴ３５に進む。
【００４３】
ステップＳＴ３５では、テロップが表示される。すなわち、表示手段６は、描画判定切り替え手段７から送られてくる表示データに応じて、例えば図７（ｂ）に示すような、表示画面の上部に「○○さんから電話です。」というテロップと、表示画面の下部に、各種ボタンおよび案内情報、誘導案内図ならびに自車マークを含む地図を表示する。その後、表示処理は終了する。
【００４４】
図７（ａ）は、従来のテロップが表示された画面の例を示す。この例に示すように、従来は、各種ボタンおよび案内情報、誘導案内図ならびに自車マークを含む地図がテロップによって見えなくなった部分が存在したが、実施の形態３に係るナビゲーション装置では、図７（ｂ）に示すように、各種ボタンおよび案内情報、誘導案内図ならびに自車マークを含む地図は、テロップと重ならない位置に移動されて表示されるので、テロップによって見えなくなる部分が発生するのを防止できる。
【００４５】
実施の形態４．
この発明の実施の形態４に係るナビゲーション装置の構成は、上述した実施の形態１に係るナビゲーション装置の構成と同じである。
【００４６】
次に、実施の形態４に係るナビゲーション装置の動作を説明する。図８は、実施の形態４に係るナビゲーション装置の動作を、表示処理を中心に示すフローチャートである。なお、以下では、上述した実施の形態３に係るナビゲーション装置の表示処理（図６参照）と同一の処理を行うステップには、図６で使用した符号と同一の符号を付して説明を簡略化する。
【００４７】
この表示処理では、まず、地図が表示される（ステップＳＴ３１）。これにより、例えば図９に示すような、表示手段６の表示画面の左側に各種ボタンおよび案内情報などが表示され、右側に誘導案内図が表示され、中央部に自車マークを含む地図が表示される。次いで、テロップが発生したかどうかが調べられる（ステップＳＴ３２）。このステップＳＴ３２において、テロップが発生していないことが判断されると、表示処理は終了する。
【００４８】
一方、ステップＳＴ３２において、テロップが発生したことが判断されると、次いで、ボタンなどと重なるかどうかが調べられる（ステップＳＴ３３）。このステップＳＴ３３において、ボタンなどと新たな画像とが重ならないことが判断されると、シーケンスはステップＳＴ３５に進む。
【００４９】
一方、ステップＳＴ３３において、ボタンなどと新たな画像とが重なることが判断されると、テロップをボタンなどと重ならない位置に移動させて縮尺を変更する処理が行われる（ステップＳＴ４１）。すなわち、表示内画像認識解析手段８は、表示中のボタンなどと新たな画像（テロップ）が占める領域とが重なることを判断すると、その結果を解析結果データとして描画判定切り替え手段７に送る。描画判定切り替え手段７は、表示内画像認識解析手段８から送られてくる解析結果データに基づき、ボタンなどをテロップと重ならない位置に移動させるとともに、縮尺を変更する（縮小する）処理を実行する。この描画判定切り替え手段７における処理結果は、表示データとして表示手段６に送られる。その後、シーケンスはステップＳＴ３５に進む。
【００５０】
ステップＳＴ３５では、テロップが表示される。すなわち、表示手段６は、描画判定切り替え手段７から送られてくる表示データに応じて、例えば図９（ｂ）に示すような、表示画面の各種ボタンおよび案内情報、誘導案内図ならびに自車マークを含む地図と重ならない位置に「○○さんから電話です。」という縮小されたテロップを表示する。この場合、表示画面の各種ボタンおよび案内情報、誘導案内図ならびに自車マークを含む地図は元の縮尺で表示される。その後、表示処理は終了する。
【００５１】
図９（ａ）は、従来のテロップが表示された画面の例を示す。この例に示すように、従来は、各種ボタンおよび案内情報、誘導案内図ならびに自車マークを含む地図がテロップによって見えなくなった部分が存在したが、実施の形態５に係るナビゲーション装置では、図９（ｂ）に示すように、テロップが、各種ボタンおよび案内情報、誘導案内図ならびに自車マークを含む地図と重ならない位置に移動および縮小されて表示されるので、テロップによって見えなくなる部分が発生するのを防止できる。
【００５２】
実施の形態５．
この発明の実施の形態５に係るナビゲーション装置の構成は、上述した実施の形態１に係るナビゲーション装置の構成と同じである。
【００５３】
次に、実施の形態５に係るナビゲーション装置の動作を説明する。図１０は、実施の形態５に係るナビゲーション装置の動作を、表示処理を中心に示すフローチャートである。
【００５４】
この表示処理では、まず、映像が表示される（ステップＳＴ５１）。すなわち、データ判定手段１８は、メディア再生手段２または映像受信手段３から映像データを取得して表示内画像認識解析手段８を経由して描画判定切り替え手段７に送る。描画判定切り替え手段７は、受け取った映像データと現在位置データに基づき映像を描画し、表示データとして表示手段６に送る。これにより、図１１に示すような、表示手段６の表示画面の一部に文字による案内情報を含む映像が表示される。
【００５５】
次いで、テロップが発生したかどうかが調べられる（ステップＳＴ５２）。このステップＳＴ５２の処理は、上述したステップＳＴ３２の処理と同じである。このステップＳＴ５２において、テロップが発生していないことが判断されると、表示処理は終了する。
【００５６】
一方、ステップＳＴ５２において、テロップが発生したことが判断されると、次いで、文字などと重なるかどうかが調べられる（ステップＳＴ５３）。すなわち、データ判定手段１８は、テロップを出力するべきタイミングであることを判断すると、テロップが占める領域を示すデータを表示内画像認識解析手段８に送る。表示内画像認識解析手段８は、データ判定手段１８からテロップが占める領域を示すデータが送られてきた場合に、表示手段６に新たな画像（テロップ）を表示する必要が生じた旨を認識し、表示中の文字などと新たな画像（テロップ）が占める領域とが重なるか否かを調べる。このステップＳＴ５３において、文字などと新たな画像とが重ならないことが判断されると、シーケンスはステップＳＴ５５に進む。
【００５７】
一方、ステップＳＴ５３において、文字などと新たな画像とが重なることが判断されると、テロップを文字などと重ならない位置に移動させる処理が行われる（ステップＳＴ５４）。すなわち、表示内画像認識解析手段８は、表示中の文字などと新たな画像（テロップ）が占める領域とが重なることを判断すると、その結果を解析結果データとして描画判定切り替え手段７に送る。描画判定切り替え手段７は、表示内画像認識解析手段８から送られてくる解析結果データに基づき、テロップを、文字などと重ならない位置に移動させる処理を実行する。この描画判定切り替え手段７における処理結果は、表示データとして表示手段６に送られる。その後、シーケンスはステップＳＴ５５に進む。
【００５８】
ステップＳＴ５５では、テロップが表示される。すなわち、表示手段６は、描画判定切り替え手段７から送られてくる表示データに応じて、例えば図１１（ｂ）に示すような、表示画面の下部に「○○さんから電話です。」というテロップを表示する。この場合、表示画面の上部に表示されている文字などは、そのまま表示される。その後、表示処理は終了する。
【００５９】
図１１（ａ）は、従来のテロップが表示された画面の例を示す。この例に示すように、従来は、画面上の文字がテロップによって見えなくなる場合が発生したが、実施の形態５に係るナビゲーション装置では、図１１（ｂ）に示すように、テロップは、文字などと重ならない位置に移動されて表示されるので、テロップによって文字が見えなくなるという事態の発生を防止できる。
【産業上の利用可能性】
【００６０】
この発明に係るナビゲーション装置は、複数種類の情報を重ならないよう画面に表示させることができるため、表示画面に表示されている情報に、新たな情報を重ねて表示する機能を有するナビゲーション装置等に用いるのに適している。
【図１】
2010084554.tif 000003
【図２】
2010084554.tif 000004
【図３】
2010084554.tif 000005
【図４】
2010084554.tif 000006
【図５】
2010084554.tif 000007
【図６】
2010084554.tif 000008
【図７】
2010084554.tif 000009
【図８】
2010084554.tif 000010
【図９】
2010084554.tif 000011
【図１０】
2010084554.tif 000012
【図１１】
2010084554.tif 000013
【手続補正書】
【提出日】平成23年1月12日(2011.1.12)
【手続補正１】
【補正対象書類名】明細書
【補正対象項目名】全文
【補正方法】変更
【補正の内容】
【発明の詳細な説明】
【技術分野】
【０００１】
この発明は、ユーザを目的地まで案内するナビゲーション装置に関し、特に、既に表示画面に表示されている情報に、新たに発生された情報を重ねて表示する技術に関する。
【背景技術】
【０００２】
従来、地図上に他の情報を重ねて表示する技術として、例えば、特許文献１は、経路の誘導状況等を考慮したより適切な地図表示を実現できる地図表示装置を開示している。この地図表示装置は、経路案内中、地図画面中における誘導経路の表示位置と地図画面上に合成表示する情報表示・メニューウインドウ画面の表示位置が重なる場合は、画面中における誘導経路が隠れないような位置に情報表示・メニューウインドウ画面を表示する。そのため、誘導経路およびその周辺の地図については、極力視認できる状態となり、誘導経路が見えなくて困るという事態を防止でき、誘導にとって適切な表示が実現される。
【先行技術文献】
【特許文献】
【０００３】
【特許文献１】特開２００６−３００９５５号公報
【発明の概要】
【発明が解決しようとする課題】
【０００４】
上述した特許文献１に開示された地図表示装置では、経路に被らない位置に情報表示・メニューウインドウを表示することができるが、画面に表示される情報、例えば、地図、施設、時計、目的地到着時刻、ニュース、スポーツ結果、渋滞情報またはメールなどが、任意のタイミングで新たに表示される情報、例えば、テロップ（電話着信を知らせるテロップなど）、ポップアップメニューまたはボタンなどと重なってユーザが所望する情報が見えなくなったり、見づらくなったりする場合がある。
【０００５】
この発明は、上述した問題を解消するためになされたものであり、その課題は、複数種類の情報を重ならないよう画面に表示させることができるナビゲーション装置を提供することにある。
【課題を解決するための手段】
【０００６】
この発明に係るナビゲーション装置は、上記課題を解決するために、自車位置を示す自車マークを含む地図を画面に表示する表示手段と、表示手段に新たな画像を表示する必要が生じた場合に、表示中の地図領域と新たな画像が占める領域とが重なる範囲を除く地図領域を算出する表示内画像認識解析手段と、表示内画像認識解析手段で算出された地図領域の中央部に自車マークが位置するように地図を移動するとともに、表示内画像認識解析手段により算出された地図領域に該地図を表示させる描画判定切り替え手段を備えている。
【発明の効果】
【０００７】
この発明に係るナビゲーション装置によれば、新たな画像を表示する必要が生じた場合に、表示中の地図領域と新たな画像が占める領域とが重なる範囲を除く地図領域を算出し、この算出した地図領域の中央部に自車マークが位置するように地図を移動するとともに、表示内画像認識解析手段により算出された地図領域に該地図を表示させるように構成したので、複数種類の情報を重ならないよう画面に表示させることができる。
【図面の簡単な説明】
【０００８】
【図１】この発明の実施の形態１に係るナビゲーション装置の構成を示すブロック図である。
【図２】この発明の実施の形態１に係るナビゲーション装置の動作を示すフローチャートである。
【図３】この発明の実施の形態１に係るナビゲーション装置で表示される画面を示す図である。
【図４】この発明の実施の形態２に係るナビゲーション装置の動作を示すフローチャートである。
【図５】この発明の実施の形態２に係るナビゲーション装置で表示される画面を示す図である。
【図６】この発明の実施の形態３に係るナビゲーション装置の動作を示すフローチャートである。
【図７】この発明の実施の形態３に係るナビゲーション装置で表示される画面を示す図である。
【図８】この発明の実施の形態４に係るナビゲーション装置の動作を示すフローチャートである。
【図９】この発明の実施の形態４に係るナビゲーション装置で表示される画面を示す図である。
【図１０】この発明の実施の形態５に係るナビゲーション装置の動作を示すフローチャートである。
【図１１】この発明の実施の形態５に係るナビゲーション装置で表示される画面を示す図である。
【発明を実施するための形態】
【０００９】
以下、この発明の実施の形態を、図面を参照しながら詳細に説明する。
実施の形態１．
図１は、この発明の実施の形態１に係るナビゲーション装置の構成を示すブロック図である。このナビゲーション装置は、記憶手段１、メディア再生手段２、映像受信手段３、ＧＰＳ（Global Positioning System）受信機４、自車位置測位手段５、表示手段６、描画判定切り替え手段７、表示内画像認識解析手段８、操作入力手段９、施設データ取得手段１０、施設データベース１１、地図データ取得手段１２、地図データベース１３、メニュー・アイコン取得手段１４、メニュー・アイコンデータベース１５、ルート探索手段１６、通信手段１７およびデータ判定手段１８を備えている。
【００１０】
これらの構成要素のうち、自車位置測位手段５、描画判定切り替え手段７、表示内画像認識解析手段８、施設データ取得手段１０、地図データ取得手段１２、メニュー・アイコン取得手段１４、ルート探索手段１６およびデータ判定手段１８は、例えば、図示しないＣＰＵ（Central Processing Unit）によって実行されるプログラムによって構成されている。
【００１１】
記憶手段１は、例えばＲＡＭ（Random Access Memory）から構成されており、種々の処理で使用されるデータを一時的に記憶する。この記憶手段１は、データ判定手段１８によってアクセスされる。
【００１２】
メディア再生手段２は、この発明の映像取得手段の一部に対応し、例えばＤＶＤ（Digital Versatile Disk）、ＣＤ（Compact Disc）または各種メモリーデバイスなどといった記録媒体に記録されている情報を再生するドライブから構成されている。このメディア再生手段２で再生することにより得られた映像情報は、データ判定手段１８に送られる。
【００１３】
映像受信手段３は、この発明の映像取得手段の他の一部に対応し、例えばＤＴＶ（Digital TeleVision）受信機などから構成されている。この映像受信手段３は、外部から送信されてくる電波を受信して映像および音声を再生する。この映像受信手段３で再生することにより得られた映像情報および音声情報は、データ判定手段１８に送られる。
【００１４】
ＧＰＳ受信機４は、ＧＰＳ衛星から送信される電波を受信し、自己の現在位置を検出する。このＧＰＳ受信機４で検出された自己の現在位置は、現在位置信号として自車位置測位手段５に送られる。自車位置測位手段５は、ＧＰＳ受信機４から送られてくる現在位置信号に基づき、自車の現在位置を検出する。この自車位置測位手段５で検出された自車の現在位置は、現在位置データとしてデータ判定手段１８に送られる。
【００１５】
表示手段６は、例えば液晶パネルから構成されており、描画判定切り替え手段７から送られてくる表示データに応じて、例えば地図、自車マーク、誘導案内図、アイコン、メニュー、テロップ、映像などといった種々の情報を表示する。
【００１６】
描画判定切り替え手段７は、表示内画像認識解析手段８から送られてくる解析結果データに従って、通常の地図を表示する処理の他、表示中の地図の移動および縮尺の変更、または、表示中の案内情報の領域の移動などの処理を実行する。この描画判定切り替え手段７で行われる処理の詳細は後述する。描画判定切り替え手段７における処理によって生成された表示データは表示手段６に送られる。
【００１７】
表示内画像認識解析手段８は、データ判定手段１８から送られてくるデータに従って、表示手段６に新たな画像、例えばテロップ、ポップアップメニューまたはアイコンなどを表示する必要が生じた場合に、表示中の地図領域と新たな画像が占める領域とが重なるか否かを判定するとともに、重なる範囲を除く地図領域を算出する。この表示内画像認識解析手段８で算出された地図領域は、解析結果データとして描画判定切り替え手段７に送られる。
【００１８】
操作入力手段９は、例えば、タッチパネルから構成されており、操作に応じたデータを発生し、操作データとしてデータ判定手段１８に送る。なお、操作入力手段９としては、リモートコントローラ（リモコン）または操作スイッチなどを用いることもできる。
【００１９】
施設データ取得手段１０は、施設データベース１１から施設データを取得し、データ判定手段１８に送る。施設データベース１１は、施設に関する情報を格納している。地図データ取得手段１２は、地図データベース１３から地図データを取得し、データ判定手段１８に送る。地図データベース１３は、地図データを格納している。メニュー・アイコン取得手段１４は、メニュー・アイコンデータベース１５からメニュー・アイコンデータを取得し、データ判定手段１８に送る。メニュー・アイコンデータベース１５は、メニュー・アイコンデータを格納している。
【００２０】
ルート探索手段１６は、地図データベース１３から取得した地図データに基づき、出発地（例えば現在位置）から目的地までの最適な経路を探索する。このルート探索手段１６で探索された経路は、経路データとしてデータ判定手段１８に送られる。
【００２１】
通信手段１７は、例えば電話機から構成されており、外部と通信回線を介して接続する。この通信手段１７に電話着信があった場合は、その旨がデータ判定手段１８に通知される。また、この通信手段１７は、外部から受信した音声信号をデータ判定手段１８に送るとともに、データ判定手段１８から送られてくる音声信号を外部に送信する。
【００２２】
データ判定手段１８は、記憶手段１、メディア再生手段２、映像受信手段３、自車位置測位手段５、表示内画像認識解析手段８、操作入力手段９、施設データ取得手段１０、地図データ取得手段１２、メニュー・アイコン取得手段１４、ルート探索手段１６および通信手段１７を制御する。
【００２３】
次に、上記のように構成される、この発明の実施の形態１に係るナビゲーション装置の動作を、例えば図３に示すように、画面上に表示されているカスタムボタンにタッチすることにより新たな画像として、「Ｇｏａｌ」および「渋滞」といったアイコンが画面上に表示される場合の表示処理を中心に、図２に示すフローチャートを参照しながら説明する。
【００２４】
この表示処理では、まず、通常の地図表示が行われる（ステップＳＴ１１）。すなわち、データ判定手段１８は、地図データベース１３から地図データ取得手段１２を介して地図データを取得して表示内画像認識解析手段８を経由して描画判定切り替え手段７に送るとともに、自車位置測位手段５から現在位置データを取得して表示内画像認識解析手段８を経由して描画判定切り替え手段７に送る。描画判定切り替え手段７は、受け取った地図データと現在位置データとに基づき、現在位置データによって示される現在位置に自車マークを配置した地図を描画し、表示データとして表示手段６に送る。これにより、図３（ａ）に示すような、表示手段６の表示画面の一部に各種ボタンおよび案内情報などが表示され、地図領域に、自車マークが中央部に配置された地図が表示される。ここで自車マークは、左右センター位置（画面中央の上下のライン）とか、地図領域の中心に一部かかっていてもよい。
【００２５】
次いで、カスタムボタンにタッチされたか否かが調べられる（ステップＳＴ１２）。すなわち、データ判定手段１８は、操作入力手段９から送られてくる操作データを調べることにより、カスタムボタンにタッチがなされたかどうかを調べる。このステップＳＴ１２において、カスタムボタンにタッチされていないことが判断されると、シーケンスはステップＳＴ１１に戻って上述した処理を繰り返し、カスタムボタンにタッチされるまで待機する。
【００２６】
一方、ステップＳＴ１２において、カスタムボタンにタッチされたことが判断されると、次いで、地図と新たな画像とが重なるかどうかが調べられる（ステップＳＴ１３）。すなわち、操作入力手段９は、タッチされたことを検出すると、その旨を表す操作データを、データ判定手段１８を経由して表示内画像認識解析手段８に送る。表示内画像認識解析手段８は、データ判定手段１８から送られてくる操作データに従って、表示手段６に新たな画像（図３の「Ｇｏａｌ」および「渋滞」のアイコン）を表示する必要が生じた旨を認識し、表示中の地図領域と新たな画像が占める領域とが重なるか否かを調べる。このステップＳＴ１３において、地図と新たな画像とが重ならないことが判断されると、ステップＳＴ１６に進む。
【００２７】
一方、ステップＳＴ１３において、地図と新たな画像とが重なることが判断されると、次いで、残りの地図領域が算出される（ステップＳＴ１４）。すなわち、表示内画像認識解析手段８は、表示中の地図領域と新たな画像（図３の「Ｇｏａｌ」および「渋滞」のアイコン）が占める領域とが重なる範囲を除く地図領域を算出し、解析結果データとして描画判定切り替え手段７に送る。
【００２８】
次いで、残りの地図領域に合わせて自車位置がセンタに移動される（ステップＳＴ１５）。すなわち、描画判定切り替え手段７は、表示内画像認識解析手段８から解析結果データとして送られる地図領域の中央部に自車マークが位置するように地図を移動させる処理を実行する。この場合、既に表示されていた地図の縮尺は変更されないので、表示中の地図領域と新たな画像が占める領域とが重なる範囲の分だけ地図領域が狭められる。この描画判定切り替え手段７における処理結果は、表示データとして表示手段６に送られる。
【００２９】
次いで、カスタマイズ画面が表示される（ステップＳＴ１６）。すなわち、表示手段６は、描画判定切り替え手段７から送られてくる表示データに応じて、例えば図３（ｂ）に示すような、自車マークが中央部に位置する地図と新たな画像である「Ｇｏａｌ」および「渋滞」のアイコンとを含む画像を表示する。その後、表示処理は終了する。
【００３０】
なお、図３に示す例では、カスタムボタンがタッチされたことに応答して、既に表示中の地図上に「Ｇｏａｌ」および「渋滞」といった新たなアイコンを表示する例について説明したが、電話着信を知らせるテロップまたはポップアップメニューを表示する必要が生じた場合も、上記と同様の処理を行うように構成できる。また、図３（ｂ）の右端の網掛け部分は、新しい画像を一般的に表示したものである。
【００３１】
実施の形態２．
この発明の実施の形態２に係るナビゲーション装置の構成は、上述した実施の形態１に係るナビゲーション装置の構成と同じである。
【００３２】
次に、実施の形態２に係るナビゲーション装置の動作を説明する。図４は、実施の形態２に係るナビゲーション装置の動作を、表示処理を中心に示すフローチャートである。なお、以下では、上述した実施の形態１に係るナビゲーション装置の表示処理（図２参照）と同一の処理を行うステップには、図２で使用した符号と同一の符号を付して説明を簡略化する。
【００３３】
この表示処理では、まず、通常の地図表示が行われる（ステップＳＴ１１）。これにより、図５（ａ）に示すような、表示手段６の表示画面の一部に各種ボタンおよび案内情報などが存在し、地図領域に、自車マークが中央部に配置された地図が表示される。次いで、カスタムボタンにタッチされたか否かが調べられる（ステップＳＴ１２）。このステップＳＴ１２において、カスタムボタンにタッチされていないことが判断されると、シーケンスはステップＳＴ１１に戻って上述した処理を繰り返し、カスタムボタンにタッチされるまで待機する。
【００３４】
一方、ステップＳＴ１２において、カスタムボタンにタッチされたことが判断されると、次いで、地図と新たな画像とが重なるかどうかが調べられる（ステップＳＴ１３）。このステップＳＴ１３において、地図と新たな画像とが重ならないことが判断されると、ステップＳＴ１６に進む。一方、ステップＳＴ１３において、地図と新たな画像とが重なることが判断されると、次いで、残りの地図領域が算出される（ステップＳＴ１４）。次いで、残りの地図領域に合わせて自車位置がセンタに移動される（ステップＳＴ１５）。
【００３５】
次いで、残りの地図領域に合わせて地図の縮尺が変更される（ステップＳＴ２１）。すなわち、描画判定切り替え手段７は、表示内画像認識解析手段８から解析結果データとして送られてくる地図領域の中央部に自車マークが位置するように地図を移動させた後に、既に表示中の地図、つまり移動前の地図の全体が表示されるように地図の縮尺を変更する処理を実行する。これにより、元の地図は若干縮小されるが元の地図の全体が表示されることになる。この描画判定切り替え手段７における処理結果は、表示データとして表示手段６に送られる。次いで、カスタマイズ画面が表示される（ステップＳＴ１６）。その後、表示処理は終了する。
【００３６】
なお、図５に示す例では、カスタムボタンがタッチされたことに応答して、既に表示中の地図上に「Ｇｏａｌ」および「渋滞」といった新たなアイコンを表示する例について説明したが、電話着信を知らせるテロップまたはポップアップメニューを表示する必要が生じた場合も、上記と同様の処理を行うように構成できる。また、図５（ｂ）の右端の網掛け部分は、新しい画像を一般的に表示したものである。
【００３７】
実施の形態３．
この発明の実施の形態３に係るナビゲーション装置の構成は、上述した実施の形態１に係るナビゲーション装置の構成と同じである。
【００３８】
次に、実施の形態３に係るナビゲーション装置の動作を説明する。図６は、実施の形態３に係るナビゲーション装置の動作を、表示処理を中心に示すフローチャートである。
【００３９】
この表示処理では、まず、地図が表示される（ステップＳＴ３１）。このステップＳＴ３１の処理は、上述したステップＳＴ１１の処理と同じである。これにより、例えば図７に示すような、表示手段６の表示画面の左側に各種ボタンおよび案内情報などが表示され、右側に誘導案内図が表示され、中央部に自車マークを含む地図が表示される。
【００４０】
次いで、テロップが発生したかどうかが調べられる（ステップＳＴ３２）。すなわち、データ判定手段１８は、テロップを出力するべきタイミングであるかどうか、例えば通信手段１７から電話着信があった旨の通知が送られてきたかどうかを調べる。このステップＳＴ３２において、テロップが発生していないことが判断されると、表示処理は終了する。
【００４１】
一方、ステップＳＴ３２において、テロップが発生したことが判断されると、次いで、ボタンなどと重なるかどうかが調べられる（ステップＳＴ３３）。すなわち、データ判定手段１８は、テロップを出力するべきタイミングであることを判断すると、テロップが占める領域を示すデータを表示内画像認識解析手段８に送る。表示内画像認識解析手段８は、データ判定手段１８からテロップが占める領域を示すデータが送られてきた場合に、表示手段６に新たな画像（テロップ）を表示する必要が生じた旨を認識し、表示中のボタンなど（ボタン、案内情報および誘導案内図などを含む）と新たな画像（テロップ）が占める領域とが重なるか否かを調べる。このステップＳＴ３３において、ボタンなどと新たな画像とが重ならないことが判断されると、シーケンスはステップＳＴ３５に進む。
【００４２】
一方、ステップＳＴ３３において、ボタンなどと新たな画像とが重なることが判断されると、ボタンなどを重ならない位置に移動させる処理が行われる（ステップＳＴ３４）。すなわち、表示内画像認識解析手段８は、表示中のボタンなどと新たな画像（テロップ）が占める領域とが重なることを判断すると、その結果を解析結果データとして描画判定切り替え手段７に送る。描画判定切り替え手段７は、表示内画像認識解析手段８から送られてくる解析結果データに基づき、ボタンなどをテロップと重ならない位置に移動させる処理を実行する。この描画判定切り替え手段７における処理結果は、表示データとして表示手段６に送られる。その後、シーケンスはステップＳＴ３５に進む。
【００４３】
ステップＳＴ３５では、テロップが表示される。すなわち、表示手段６は、描画判定切り替え手段７から送られてくる表示データに応じて、例えば図７（ｂ）に示すような、表示画面の上部に「○○さんから電話です。」というテロップと、表示画面の下部に、各種ボタンおよび案内情報、誘導案内図ならびに自車マークを含む地図を表示する。その後、表示処理は終了する。
【００４４】
図７（ａ）は、従来のテロップが表示された画面の例を示す。この例に示すように、従来は、各種ボタンおよび案内情報、誘導案内図ならびに自車マークを含む地図がテロップによって見えなくなった部分が存在したが、実施の形態３に係るナビゲーション装置では、図７（ｂ）に示すように、各種ボタンおよび案内情報、誘導案内図ならびに自車マークを含む地図は、テロップと重ならない位置に移動されて表示されるので、テロップによって見えなくなる部分が発生するのを防止できる。
【００４５】
実施の形態４．
この発明の実施の形態４に係るナビゲーション装置の構成は、上述した実施の形態１に係るナビゲーション装置の構成と同じである。
【００４６】
次に、実施の形態４に係るナビゲーション装置の動作を説明する。図８は、実施の形態４に係るナビゲーション装置の動作を、表示処理を中心に示すフローチャートである。なお、以下では、上述した実施の形態３に係るナビゲーション装置の表示処理（図６参照）と同一の処理を行うステップには、図６で使用した符号と同一の符号を付して説明を簡略化する。
【００４７】
この表示処理では、まず、地図が表示される（ステップＳＴ３１）。これにより、例えば図９に示すような、表示手段６の表示画面の左側に各種ボタンおよび案内情報などが表示され、右側に誘導案内図が表示され、中央部に自車マークを含む地図が表示される。次いで、テロップが発生したかどうかが調べられる（ステップＳＴ３２）。このステップＳＴ３２において、テロップが発生していないことが判断されると、表示処理は終了する。
【００４８】
一方、ステップＳＴ３２において、テロップが発生したことが判断されると、次いで、ボタンなどと重なるかどうかが調べられる（ステップＳＴ３３）。このステップＳＴ３３において、ボタンなどと新たな画像とが重ならないことが判断されると、シーケンスはステップＳＴ３５に進む。
【００４９】
一方、ステップＳＴ３３において、ボタンなどと新たな画像とが重なることが判断されると、テロップをボタンなどと重ならない位置に移動させて縮尺を変更する処理が行われる（ステップＳＴ４１）。すなわち、表示内画像認識解析手段８は、表示中のボタンなどと新たな画像（テロップ）が占める領域とが重なることを判断すると、その結果を解析結果データとして描画判定切り替え手段７に送る。描画判定切り替え手段７は、表示内画像認識解析手段８から送られてくる解析結果データに基づき、ボタンなどをテロップと重ならない位置に移動させるとともに、縮尺を変更する（縮小する）処理を実行する。この描画判定切り替え手段７における処理結果は、表示データとして表示手段６に送られる。その後、シーケンスはステップＳＴ３５に進む。
【００５０】
ステップＳＴ３５では、テロップが表示される。すなわち、表示手段６は、描画判定切り替え手段７から送られてくる表示データに応じて、例えば図９（ｂ）に示すような、表示画面の各種ボタンおよび案内情報、誘導案内図ならびに自車マークを含む地図と重ならない位置に「○○さんから電話です。」という縮小されたテロップを表示する。この場合、表示画面の各種ボタンおよび案内情報、誘導案内図ならびに自車マークを含む地図は元の縮尺で表示される。その後、表示処理は終了する。
【００５１】
図９（ａ）は、従来のテロップが表示された画面の例を示す。この例に示すように、従来は、各種ボタンおよび案内情報、誘導案内図ならびに自車マークを含む地図がテロップによって見えなくなった部分が存在したが、実施の形態５に係るナビゲーション装置では、図９（ｂ）に示すように、テロップが、各種ボタンおよび案内情報、誘導案内図ならびに自車マークを含む地図と重ならない位置に移動および縮小されて表示されるので、テロップによって見えなくなる部分が発生するのを防止できる。
【００５２】
実施の形態５．
この発明の実施の形態５に係るナビゲーション装置の構成は、上述した実施の形態１に係るナビゲーション装置の構成と同じである。
【００５３】
次に、実施の形態５に係るナビゲーション装置の動作を説明する。図１０は、実施の形態５に係るナビゲーション装置の動作を、表示処理を中心に示すフローチャートである。
【００５４】
この表示処理では、まず、映像が表示される（ステップＳＴ５１）。すなわち、データ判定手段１８は、メディア再生手段２または映像受信手段３から映像データを取得して表示内画像認識解析手段８を経由して描画判定切り替え手段７に送る。描画判定切り替え手段７は、受け取った映像データと現在位置データに基づき映像を描画し、表示データとして表示手段６に送る。これにより、図１１に示すような、表示手段６の表示画面の一部に文字による案内情報を含む映像が表示される。
【００５５】
次いで、テロップが発生したかどうかが調べられる（ステップＳＴ５２）。このステップＳＴ５２の処理は、上述したステップＳＴ３２の処理と同じである。このステップＳＴ５２において、テロップが発生していないことが判断されると、表示処理は終了する。
【００５６】
一方、ステップＳＴ５２において、テロップが発生したことが判断されると、次いで、文字などと重なるかどうかが調べられる（ステップＳＴ５３）。すなわち、データ判定手段１８は、テロップを出力するべきタイミングであることを判断すると、テロップが占める領域を示すデータを表示内画像認識解析手段８に送る。表示内画像認識解析手段８は、データ判定手段１８からテロップが占める領域を示すデータが送られてきた場合に、表示手段６に新たな画像（テロップ）を表示する必要が生じた旨を認識し、表示中の文字などと新たな画像（テロップ）が占める領域とが重なるか否かを調べる。このステップＳＴ５３において、文字などと新たな画像とが重ならないことが判断されると、シーケンスはステップＳＴ５５に進む。
【００５７】
一方、ステップＳＴ５３において、文字などと新たな画像とが重なることが判断されると、テロップを文字などと重ならない位置に移動させる処理が行われる（ステップＳＴ５４）。すなわち、表示内画像認識解析手段８は、表示中の文字などと新たな画像（テロップ）が占める領域とが重なることを判断すると、その結果を解析結果データとして描画判定切り替え手段７に送る。描画判定切り替え手段７は、表示内画像認識解析手段８から送られてくる解析結果データに基づき、テロップを、文字などと重ならない位置に移動させる処理を実行する。この描画判定切り替え手段７における処理結果は、表示データとして表示手段６に送られる。その後、シーケンスはステップＳＴ５５に進む。
【００５８】
ステップＳＴ５５では、テロップが表示される。すなわち、表示手段６は、描画判定切り替え手段７から送られてくる表示データに応じて、例えば図１１（ｂ）に示すような、表示画面の下部に「○○さんから電話です。」というテロップを表示する。この場合、表示画面の上部に表示されている文字などは、そのまま表示される。その後、表示処理は終了する。
【００５９】
図１１（ａ）は、従来のテロップが表示された画面の例を示す。この例に示すように、従来は、画面上の文字がテロップによって見えなくなる場合が発生したが、実施の形態５に係るナビゲーション装置では、図１１（ｂ）に示すように、テロップは、文字などと重ならない位置に移動されて表示されるので、テロップによって文字が見えなくなるという事態の発生を防止できる。
【００６０】
この発明に係るナビゲーション装置は、複数種類の情報を重ならないよう画面に表示させることができるため、表示画面に表示されている情報に、新たな情報を重ねて表示する機能を有するナビゲーション装置等に用いるのに適している。
【手続補正２】
【補正対象書類名】特許請求の範囲
【補正対象項目名】全文
【補正方法】変更
【補正の内容】
【特許請求の範囲】
【請求項１】
自車位置を示す自車マークを含む地図を画面に表示する表示手段と、
前記表示手段に新たな画像を表示する必要が生じた場合に、表示中の地図領域と前記新たな画像が占める領域とが重なる範囲を除く地図領域を算出する表示内画像認識解析手段と、
前記表示内画像認識解析手段で算出された地図領域の中央部に前記自車マークが位置するように前記地図を移動するとともに、前記表示内画像認識解析手段により算出された地図領域に該地図を表示させる描画判定切り替え手段
とを備えたナビゲーション装置。
【請求項２】
描画判定切り替え手段は、前記表示内容画像認識解析手段で算出された地図領域の中央部に前記自車マークが位置し、かつ、既に表示中の地図の全体が表示されるように地図の縮尺を変更して前記表示手段に表示させる
ことを特徴とする請求項１記載のナビゲーション装置。
【国際調査報告】
2010084554.tif 000014
2010084554.tif 000015
2010084554.tif 000016
2010084554.tif 000017
2010084554.tif 000018
2010084554.tif 000019